(57)【特許請求の範囲】
【請求項１】
溝の長さ方向に硬貨の厚さ方向を沿わせる向きで複数の硬貨を重ね合わせ状に整列収納可能とする硬貨主保持溝の溝底に、この硬貨主保持溝の長さ方向に沿って続くと共に溝の長さ方向に硬貨の厚さ方向を沿わせる向きで複数の硬貨を重ね合わせ状に整列収納可能とする硬貨副保持溝を備えるようにしてなる硬貨保持部を一又は二以上備えており、
硬貨副保持溝は、その幅方向に沿った断面において、その溝底及び両溝壁を径の異なる二種類の硬貨の一方の径と略等しい径の第一仮想円の円弧上に略位置させていると共に、
硬貨主保持溝は、その幅方向に沿った断面において、その両溝壁を前記径の異なる二種類の硬貨の他方の径と略等しい径の第一仮想円よりも大径の第二仮想円の円弧上に略位置させていることを特徴とする硬貨用トレイ。
【請求項２】
第一硬貨保持部と、第二硬貨保持部と、第三硬貨保持部とを有しており、
第一硬貨保持部にあっては、第一仮想円は５０円硬貨の直径を持った円とされ、かつ、第二仮想円は５００円硬貨の直径を持った円とされており、
第二硬貨保持部にあっては、第一仮想円は１円硬貨の直径を持った円とされ、かつ、第二仮想円は１００円硬貨の直径を持った円とされており、
第三硬貨保持部にあっては、第一仮想円は５円硬貨の直径を持った円とされ、かつ、第二仮想円は１０円硬貨の直径を持った円とされていることを特徴とする請求項１記載の硬貨用トレイ。
【請求項３】
トレイ裏面側に、自由端をトレイ裏面から離れ出させた第一ポジションとこの自由端をトレイ裏面に接し又は近接させた第二ポジションとの間での回動可能に組み付けられたスタンド部材が備えられていることを特徴とする請求項１又は請求項２記載の硬貨用トレイ。
【請求項４】
上面開口の本体と、この本体の開口を開閉自在に塞ぐ蓋と、請求項１〜請求項３のいずれか１項に記載の硬貨用トレイとを備えており、
この硬貨用トレイには、その外周部に本体の開口に引っかかる下方に向いた段差面が形成されており、この段差面下を本体内に納め入れるようにして本体に組み合わされるようになっていることを特徴とする手提げ金庫。
【発明の詳細な説明】
【技術分野】
【０００１】
この発明は、トレイ表面側に溝状をなす硬貨保持部を備えており、この硬貨保持部の長さ方向に硬貨の厚さ方向を沿わせる向きで、複数の硬貨を重ね合わせ状にこの硬貨保持部において収納・保持するようにした硬貨用トレイ、および、かかる硬貨用トレイを含んで構成された手提げ金庫の改良に関する。
【背景技術】
【０００２】
複数の硬貨を重ね合わせ状に収納保持する溝を備えたトレイないしはケースが、硬貨の計数器具として、あるいは、手提げ金庫のトレイや金銭用レジスターのコインケースとして用いられている。（特許文献１参照）
【０００３】
しかるに、硬貨はその金額に応じて径が異なるところ、従来のこれらのトレイなどは、前記溝を概ね硬貨の外径に倣った断面半円弧状に構成して硬貨の下半分をこの溝の内壁によって支持するようにしていることから、硬貨の種類分の溝を必要とするものであった。こうしたトレイなどを比較的大きく構成し得る場合には硬貨の種類毎にその保持用の溝を用意することに無理はなくても、典型的には手提げ金庫において中蓋的に機能する硬貨用トレイのようにその大きさに制限が加わる場合にはこうした溝を硬貨の種類毎に揃えることは困難であり、また、揃えられたとしてもそれを適切にレイアウトすることは困難である。
【特許文献１】特開２００３−３３７９８０号公報
【発明の開示】
【発明が解決しようとする課題】
【０００４】
この発明が解決しようとする主たる問題点は、この種の硬貨用トレイおよびこれを含んで構成される手提げ金庫において、溝状をなす硬貨保持部を硬貨の種類毎に用意しなくとも、複数種類の硬貨を効率的かつ適切に収納保持できるようにする点にある。
【課題を解決するための手段】
【０００５】
前記課題を達成するために、この発明にあっては、硬貨用トレイを、溝の長さ方向に硬貨の厚さ方向を沿わせる向きで複数の硬貨を重ね合わせ状に整列収納可能とする硬貨主保持溝の溝底に、この硬貨主保持溝の長さ方向に沿って続くと共に溝の長さ方向に硬貨の厚さ方向を沿わせる向きで複数の硬貨を重ね合わせ状に整列収納可能とする硬貨副保持溝を備えるようにしてなる硬貨保持部を一又は二以上備えており、
硬貨副保持溝は、その幅方向に沿った断面において、その溝底及び両溝壁を径の異なる二種類の硬貨の一方の径と略等しい径の第一仮想円の円弧上に略位置させていると共に、
硬貨主保持溝は、その幅方向に沿った断面において、その両溝壁を前記径の異なる二種類の硬貨の他方の径と略等しい径の第一仮想円よりも大径の第二仮想円の円弧上に略位置させているものとした。
【０００６】
かかる硬貨用トレイにあっては、一つの硬貨保持部において、径の異なる二種類の硬貨を収納・保持させることができる。すなわち、第二仮想円と略等しい硬貨を保持させる場合には、硬貨主保持溝を利用して、この硬貨主保持溝の長さ方向にかかる硬貨の厚さ方向が沿う向きでかかる硬貨を入れ込むことにより、複数のかかる硬貨を硬貨保持部の長さ方向に亘って重ね合わせ状に整列収納させることができる。このときは、硬貨は硬貨主保持溝の両溝壁間において硬貨の両側を挟まれるように支持され、硬貨の下端と硬貨副保持溝の溝底との間には隙間が開いた状態となる。一方、第一仮想円と略等しい硬貨を保持させる場合には、硬貨副保持溝に、この硬貨副保持溝の長さ方向にかかる硬貨の厚さ方向が沿う向きでかかる硬貨を入れ込むことにより、複数のかかる硬貨を硬貨保持部の長さ方向に亘って重ね合わせ状に整列収納させることができる。このときは、硬貨はその下端側を硬貨副保持溝の溝底と両溝壁に接しさせ、かつ、その上端側を硬貨主保持溝の溝底から上方に突き出させるようにして、硬貨主保持溝の溝底側に支持される。
【０００７】
前記硬貨用トレイが、第一硬貨保持部と、第二硬貨保持部と、第三硬貨保持部とを有しており、
第一硬貨保持部にあっては、第一仮想円は５０円硬貨の直径を持った円とされ、かつ、第二仮想円は５００円硬貨の直径を持った円とされており、
第二硬貨保持部にあっては、第一仮想円は１円硬貨の直径を持った円とされ、かつ、第二仮想円は１００円硬貨の直径を持った円とされており、
第三硬貨保持部にあっては、第一仮想円は５円硬貨の直径を持った円とされ、かつ、第二仮想円は１０円硬貨の直径を持った円とされるようにしておくこともある。
【０００８】
かかる１円、５円、１０円、５０円、１００円、５００円の硬貨は、日本国が発行しており、現在日本国で流通している円形の硬貨である。これらの硬貨のうち、５０円硬貨と５００円硬貨とは厚さの差が少なく、１円硬貨と１００円硬貨とは厚さの差が少なく、５円硬貨と１０円硬貨とは厚さの差が少ないことから、このようにした場合、一つの硬貨保持部において径の小さい硬貨を収容させた場合と、径の大きい硬貨を収容させた場合とで、収容枚数が異なり難いようにすることができる。これにより硬貨の計数が容易となる。また、現在日本国で流通している硬貨のうち、１０円、１００円、５００円の硬貨はその利用頻度が高いことから、この三種の硬貨間では硬貨保持部を兼用させないようにすることで、利用頻度の高い硬貨をできるだけ多く硬貨用トレイに収納させることができる。
【０００９】
前記トレイ裏面側に、自由端をトレイ裏面から離れ出させた第一ポジションとこの自由端をトレイ裏面に接し又は近接させた第二ポジションとの間での回動可能に組み付けられたスタンド部材を備えさせておくこともある。
【００１０】
このようにした場合、硬貨用トレイのトレイ表面を略水平に位置づけたセッテイングの他、スタンド部材を第一ポジションに位置づけることにより、このスタンド部材の回動組み付け側を斜上側とするように、硬貨用トレイのトレイ表面側を斜めにした硬貨用トレイのセッテイングが可能であり、硬貨の出し入れを行いやすい態様での硬貨用トレイの使用ができる。
【００１１】
また、前記課題を達成するために、この発明にあっては、手提げ金庫を、
上面開口の本体と、この本体の開口を開閉自在に塞ぐ蓋と、前記硬貨用トレイとを備えており、
この硬貨用トレイには、その外周部に本体の開口に引っかかる下方に向いた段差面が形成されており、この段差面下を本体内に納め入れるようにして本体に組み合わされるようになっているものとした。
【００１２】
かかる手提げ金庫にあっては、前記硬貨用トレイを備えていることから、本体に紙幣を、また、硬貨用トレイにおいて複数の硬貨を限られたスペースの中で効率的に収納保持することができる。
【００１３】
また、開蓋状態において、硬貨用トレイのスタンド部材を第一ポジションに位置づけることにより、本体との回動組み付け側にある蓋の内面にスタンド部材の自由端を接しさせてこのスタンド部材が回動可能に組み付けられた側を斜上側とした状態で本体の開口上に硬貨用トレイをセットさせての使用をすることもできる。
【発明の効果】
【００１４】
この発明にかかる硬貨用トレイにあっては、一つの硬貨保持部において二種類の硬貨のいずれか一方のみを収納保持するように用いることができると共に、一つの硬貨保持部の一部にこれらの硬貨の一方を、この一つの硬貨保持部の残りの箇所においてこれらの硬貨の他方を、それぞれ収納保持するように用いることもでき、トレイ表面のスペースが広く確保できない場合であっても、複数種類の硬貨を効率的かつ適切に収納保持することができる。
【００１５】
また、この発明にかかる手提げ金庫にあっては、この手提げ金庫においてかかる硬貨用トレイを中蓋的に機能させることができると共に、かかる硬貨用トレイのトレイ表面のスペースが広く確保できない場合であっても手提げ金庫内において複数種類の硬貨を効率的かつ適切に収納保持することができる。
【発明を実施するための最良の形態】
【００１６】
以下、図１ないし図１１に基づいて、この発明を実施するための最良の形態について説明する。
【００１７】
なお、ここで図１〜図７は、実施の形態にかかる硬貨用トレイ１をそれぞれ示しており、また、図８〜図１１は、かかる硬貨用トレイ１を含んで構成された手提げ金庫Ｍをそれぞれ示している。（なお、図４〜図７においては、硬貨用トレイ１を構成するスタンド部材１０７の記載を省略している。）
【００１８】
この実施の形態にかかる硬貨用トレイ１は、そのトレイ表面１００側に溝状をなす硬貨保持部１０３を備えており、この硬貨保持部１０３の長さ方向に硬貨Ｃｎの厚さ方向を沿わせる向きで、複数の硬貨Ｃｎを重ね合わせ状にこの硬貨Ｃｎ保持部１０３において収納・保持するようにしたものである。また、この実施の形態にかかる手提げ金庫Ｍは、かかる硬貨用トレイ１を含んで構成され、主として硬貨Ｃｎをこの硬貨用トレイ１において、また、主として紙幣を硬貨用トレイ１が組み合わされる本体２において、収納するように用いられるものである。
【００１９】
（硬貨用トレイ１）
硬貨用トレイ１は、そのトレイ表面１００側に一又は二以上の硬貨保持部１０３を備えている。この硬貨保持部１０３は、硬貨主保持溝１０３ａと硬貨副保持溝１０３ｂとを備えてなる。硬貨副保持溝１０３ｂは、硬貨主保持溝１０３ａの溝底に、この硬貨主保持溝１０３ａの長さ方向に沿って続くように形成されている。
【００２０】
また、硬貨副保持溝１０３ｂは、その幅方向に沿った断面において、その溝底及び両溝壁を第一仮想円ｒ１の円弧上に略位置させていると共に、硬貨主保持溝１０３ａは、その幅方向に沿った断面において、その両溝壁を第一仮想円ｒ１よりも大径の第二仮想円ｒ２の円弧上に略位置させている。（図７）
【００２１】
図示の例にあっては、かかる硬貨用トレイ１は、平面視において略長方形状の外郭形状を持つように構成されている。硬貨用トレイ１のトレイ表面１００側においては、その各辺部１０２においてそれぞれの辺部１０２に亘って上方に突き出す立ち上がり部１０４が形成されている。また、この立ち上がり部１０４の突き出し端側であってその外側には、外向きに突き出すフランジ部１０５が形成されており、このフランジ部１０５によって硬貨用トレイ１は下方に向いた段差面１０５ａを有するようになっている。
【００２２】
また、図示の例では、硬貨保持部１０３は、硬貨用トレイ１の幅方向に沿って長く続くと共に、硬貨用トレイ１のトレイ表面１００側から窪み込む溝状をなすように構成されている。硬貨保持部１０３の端部には硬貨用トレイ１の長さ方向に沿った長さ側辺部１０２ａに平行をなすエンド面１０３ｃが形成されている。図示の例では、硬貨用トレイ１の幅方向に沿った幅側辺部１０２ｂの一方に近接した箇所に第一硬貨保持部１０３１が形成されていると共に、硬貨用トレイ１の長さ方向略中程の位置に第三硬貨保持部１０３３が形成されており、さらに、この第一硬貨保持部１０３１と第三硬貨保持部１０３３との間に第二硬貨保持部１０３２が形成されている。また、硬貨用トレイ１の幅側辺部１０２ｂの他方と第三硬貨保持部１０３３との間には、硬貨用トレイ１の幅方向に長い平面視略長方形状の凹み状をなすフリー収納凹部１０６が形成されている。このフリー収納凹部１０６の幅方向略中程の位置にはこのフリー収納凹部１０６の長さ方向に亘る溝１０６ａが形成されており、このフリー収納凹部１０６に郵券や証紙、印鑑などを納めた際に、かかる溝１０６ａを利用してこの郵券などを指先で把持しやすいようにしてある。
【００２３】
かかる硬貨用トレイ１にあっては、一つの硬貨保持部１０３において、径の異なる二種類の硬貨Ｃｎを収納・保持させることができる。すなわち、第二仮想円ｒ２と略等しい硬貨Ｃｎを保持させる場合には、硬貨主保持溝１０３ａを利用して、この硬貨主保持溝１０３ａの長さ方向にかかる硬貨Ｃｎの厚さ方向が沿う向きでかかる硬貨Ｃｎを入れ込むことにより、複数のかかる硬貨Ｃｎを硬貨保持部１０３の長さ方向に亘って重ね合わせ状に整列収納させることができる。このときは、硬貨Ｃｎは硬貨主保持溝１０３ａの両溝壁間において硬貨Ｃｎの両側を挟まれるように支持され、硬貨Ｃｎの下端と硬貨副保持溝１０３ｂの溝底との間には隙間が開いた状態となる。一方、第一仮想円ｒ１と略等しい硬貨Ｃｎを保持させる場合には、硬貨副保持溝１０３ｂに、この硬貨副保持溝１０３ｂの長さ方向にかかる硬貨Ｃｎの厚さ方向が沿う向きでかかる硬貨Ｃｎを入れ込むことにより、複数のかかる硬貨Ｃｎを硬貨保持部１０３の長さ方向に亘って重ね合わせ状に整列収納させることができる。このときは、硬貨Ｃｎはその下端側を硬貨副保持溝１０３ｂの溝底と両溝壁に接しさせ、かつ、その上端側を硬貨主保持溝１０３ａの溝底から上方に突き出させるようにして、硬貨主保持溝１０３ａの溝底側に支持される。
【００２４】
図示の例では、前記第一硬貨保持部１０３１にあっては、第一仮想円ｒ１は５０円硬貨Ｃｎの直径を持った円とされ、かつ、第二仮想円ｒ２は５００円硬貨Ｃｎの直径を持った円とされており、
前記第二硬貨保持部１０３２にあっては、第一仮想円ｒ１は１円硬貨Ｃｎの直径を持った円とされ、かつ、第二仮想円ｒ２は１００円硬貨Ｃｎの直径を持った円とされており、
前記第三硬貨保持部１０３３にあっては、第一仮想円ｒ１は５円硬貨Ｃｎの直径を持った円とされ、かつ、第二仮想円ｒ２は１０円硬貨Ｃｎの直径を持った円とされている。（図１および図７参照／なお、図７においては第一硬貨保持部１０３１についてのみ第一仮想円ｒ１と第二仮想円ｒ２の記載をしている。）
【００２５】
かかる１円、５円、１０円、５０円、１００円、５００円の硬貨Ｃｎは、日本国が発行しており、現在日本国で流通している円形の硬貨Ｃｎである。これらの硬貨Ｃｎのうち、５０円硬貨Ｃｎと５００円硬貨Ｃｎとは厚さの差が少なく、１円硬貨Ｃｎと１００円硬貨Ｃｎとは厚さの差が少なく、５円硬貨Ｃｎと１０円硬貨Ｃｎとは厚さの差が少ないことから、このようにした場合、一つの硬貨保持部１０３において径の小さい硬貨Ｃｎを収容させた場合と、径の大きい硬貨Ｃｎを収容させた場合とで、収容枚数が異なり難いようにすることができる。これにより硬貨Ｃｎの計数が容易となる。また、現在日本国で流通している硬貨Ｃｎのうち、１０円、１００円、５００円の硬貨Ｃｎはその利用頻度が高いことから、この三種の硬貨Ｃｎ間では硬貨保持部１０３を兼用させないようにすることで、利用頻度の高い硬貨Ｃｎをできるだけ多く硬貨用トレイ１に収納させることができる。
【００２６】
図示のようにした場合、三箇所の硬貨保持部１０３を持った一つの硬貨用トレイ１において、三種の硬貨Ｃｎを最大数量で保持できると共に、最大数量でなければ六種の硬貨Ｃｎをそれぞれ適切に保持させることができる。硬貨保持部１０３は、硬貨用トレイ１に二箇所設けてあっても、三箇所以上設けてあっても構わない。また、第一硬貨保持部１０３１〜第三硬貨保持部１０３３のうちの一種を複数備えるようにしてあっても、これらの二種以上を複数備えるようにしてあっても構わない。また、ターゲットとなる硬貨Ｃｎは現在日本で流通している硬貨Ｃｎに限定されるものではない。すなわち、一つの硬貨保持部１０３において、径の異なる二種の硬貨Ｃｎを保持できるようにしてあるものは、この発明の発明概念に含まれる硬貨用トレイ１である。
【００２７】
なお、図示の例では、各硬貨保持部１０３は、三枚のＵ字状をなす仕切り板１０３ｄによって、その長さ方向において略等しく四分割されており、硬貨保持部１０３の端部とこの端部に近い仕切り板１０３ｄの間の区画、および、隣り合う仕切り板１０３ｄの間の区画にそれぞれ、１０枚の硬貨Ｃｎが重ね合わせ状に納まるようになっている。これにより硬貨Ｃｎの計数とその取り出しとが一層容易となっている。
【００２８】
また、図示の例にあっては、第二硬貨保持部１０３２の一端部のエンド面１０３ｃと、三枚の仕切り板１０３ｄの一面側とにそれぞれ、硬貨副保持溝１０３ｂの溝底からこの硬貨副保持溝１０３ｂの深さの約３分の１の位置までに亘る高さと１円硬貨Ｃｎの厚さ分の厚さを備えた底上げ隆起部１０３ｅが形成されている。これは１００円硬貨Ｃｎ１０枚を重ね合わせた寸法が１円硬貨Ｃｎ１１枚分を重ね合わせた寸法と略等しくなってしまうことから、この底上げ隆起部１０３ｅによって第二硬貨保持部１０３２の一区画においては硬貨副保持溝１０３ｂ内には１０枚の１円硬貨Ｃｎしか収納されないようにしてその計数を容易とするための配慮である。
【００２９】
また、この実施の形態にあっては、硬貨用トレイ１のトレイ裏面１０１側に、自由端１０７ａをトレイ裏面１０１から離れ出させた第一ポジション（図２において想像線で示される位置）とこの自由端１０７ａをトレイ裏面１０１に接し又は近接させた第二ポジション（図２において実線で示される位置）との間での回動可能に、スタンド部材１０７が組み付けられている。
【００３０】
図示の例にあっては、かかるスタンド部材１０７は、硬貨用トレイ１の長さ側辺部１０２ａの一方側において、硬貨用トレイ１のトレイ裏面１０１部に回動可能に組み付けられている。図示の例ではかかるスタンド部材１０７は、硬貨用トレイ１の長さ方向に長い支持棒部１０７ｂと、この支持棒部１０７ｂの両端部においてそれぞれ一端を一体に連接されてこの支持棒部１０７ｂに対し略直交する向きに突き出すアーム棒部１０７ｃとを備えている。支持棒部１０７ｂがスタンド部材１０７の自由端１０７ａとなる。アーム棒部１０７ｃの末端は、他方のアーム棒部１０７ｃの側に向けて直角に屈曲されており、この屈曲端１０７ｄが回動軸として機能するようになっている。すなわち、図示の例にあっては、硬貨用トレイ１のトレイ裏面１０１側であって、この硬貨用トレイ１の長さ側辺部１０２ａの一方側と幅側辺部１０２ｂとの間のコーナ内側にそれぞれ、スタンド部材１０７の屈曲端１０７ｄの軸穴１０８ａを備えた軸受け部１０８が設けられている。一対の軸受け部１０８、１０８の外面間の間隔は一対のアーム棒部１０７ｃ、１０７ｃ間のピッチと略等しく、一対のアーム棒部１０７ｃ、１０７ｃ間のピッチをやや広げる向きにスタンド部材１０７を弾性変形させた状態でそれぞれの軸受け部１０８の軸穴１０８ａに対応した屈曲端１０７ｄを入れ込むことでこの軸穴１０８ａを中心にスタンド部材１０７を前記のように回動操作できるようになっている。図示の例では、スタンド部材１０７が第二ポジションにあるときには、底面視の状態において硬貨用トレイ１の外郭内にスタンド部材１０７が納まるようになっていると共に、トレイ裏面１０１の長さ側辺部１０２ａの他方と幅側辺部１０２ｂの一方との間のコーナ内側にはこの第二ポジションにおいてスタンド部材１０７の自由端１０７ａ側においてアーム棒部１０７ｃに爪部１０９ａを下方から引っかける弾性掛合片１０９が設けられている。第二ポジションにあるスタンド部材１０７はこの爪部１０９ａの引っかかりを解くように弾性掛合片１０９を弾性変形させることにより第一ポジションまで回動操作できるようになっている。軸受け部１０８と長さ側辺部１０２ａの一方との間には規制壁１１０が形成されており、スタンド部材１０７はアーム棒部１０７ｃをこの規制壁１１０に突き当てる位置まで第二ポジションからの回動操作が可能とされ、この突き当て位置が第一ポジションとなるようにしてある。図示の例ではスタンド部材１０７は略９０度の範囲で回動されるようになっている。
【００３１】
これにより、この実施の形態にあっては、硬貨用トレイ１のトレイ表面１００を略水平に位置づけたセッテイングの他、スタンド部材１０７を第一ポジションに位置づけることにより、このスタンド部材１０７の回動組み付け側（図示の例では硬貨用トレイ１の長さ側辺部１０２ａの一方側）を斜上側とするように、硬貨用トレイ１のトレイ表面１００側を斜めにした硬貨用トレイ１のセッテイングが可能であり、硬貨Ｃｎの出し入れを行いやすい態様での硬貨用トレイ１の使用ができるようになっている。
【００３２】
（手提げ金庫Ｍ）
この実施の形態にかかる手提げ金庫Ｍは、上面を開口２０とした本体２と、この本体２の開口２０を開閉自在に塞ぐ蓋３と、以上に説明した硬貨用トレイ１とを含んで構成されている。
【００３３】
そして、かかる硬貨用トレイ１の外周部に形成された前記段差面１０５ａを、本体２の開口２０に引っかけ、この段差面１０５ａ下を本体２内に納め入れるようにして硬貨用トレイ１は本体２に組み合わされるようになっている。
【００３４】
図示の例では、硬貨用トレイ１の外郭形状は、本体２の開口２０形状に倣い、かつ、略同じ大きさを持つように構成されており、一方、蓋３は、上板の四周に立ち上がり部３１を有し、この立ち上がり部３１の内側に閉蓋時に前記のように本体２に組み合わせた硬貨用トレイ１を納めるように構成されている。蓋３は、その長さ側にある一辺部において本体２の長さ側にある一辺部にヒンジによって回動可能に組み付けられている。蓋３の上板の中央部には、平面視の状態において蓋３の長さ方向に長い略長方形状をなす凹所３２が形成されていると共に、この凹所３２内には蓋３の長さ方向に回動軸３３ａを沿わせる設けられた棒状体よりなる提げ手３３が起伏動可能に備えられている。図示の例では提げ手３３が伏倒位置にあるときこれを指先で掴みやすくするための円状凹み３４が凹所３２内に二箇所さらに設けられている。また、図示の例では、硬貨用トレイ１の長さ側辺部１０２ａの長さ方向略中程の位置にそれぞれ、平面視の状態において内側に向けて弧状に窪んだ弧状凹み１１１が形成されており、本体２に硬貨用トレイ１を前記のように組み合わせた状態からこの弧状凹み１１１の一方に親指を他方に人差し指をかけるようにして硬貨用トレイ１を本体２からスムースに持ち上げ外すことができるようになっている。また、本体２の開口２０に硬貨用トレイ１を組み合わせた状態において、硬貨用トレイ１のトレイ裏面１０１と本体２の底面との間には空間Ｓが形成されるようになっており、この空間Ｓに主として紙幣を収納するようになっている。なお、図中、符号２１で示されるのは閉蓋状態において互いに掛合し合っている本体２のラッチと蓋３のストライカとのこの掛合をロック機構の非ロック時においてはスライド操作によって解けるようにするボタンであり、図中符号２２はロック機構を構成する鍵穴、符号２３はロック機構を構成するダイヤルである。
【００３５】
かかる手提げ金庫Ｍにあっては、前記硬貨用トレイ１を備えていることから、本体２に紙幣を、また、硬貨用トレイ１において複数の硬貨Ｃｎを限られたスペースの中で効率的に収納保持することができる。
【００３６】
また、開蓋状態において、硬貨用トレイ１のスタンド部材１０７を第一ポジションに位置づけることにより、本体２との回動組み付け側にある蓋３の内面にスタンド部材１０７の自由端１０７ａを接しさせてこのスタンド部材１０７が回動可能に組み付けられた側を斜上側とした状態で本体２の開口２０上に硬貨用トレイ１をセットさせての使用をすることもできる。（図１１）
【図面の簡単な説明】
【００３７】
【図１】硬貨用トレイ１の斜視図（トレイ表面１００側）
【図２】硬貨用トレイ１の斜視図（トレイ裏面１０１側）
【図３】硬貨用トレイ１の平面図
【図４】図３におけるＡ−Ａ線断面図
【図５】図３におけるＢ−Ｂ線断面図
【図６】図３におけるＣ−Ｃ線断面図
【図７】図３におけるＤ−Ｄ線断面図
【図８】手提げ金庫Ｍの正面図
【図９】手提げ金庫Ｍの平面図
【図１０】手提げ金庫Ｍの側面図
【図１１】手提げ金庫Ｍの側面図（開蓋状態）
【符号の説明】
【００３８】
１  硬貨用トレイ
１０３  硬貨保持部
１０３ａ  硬貨主保持溝
１０３ｂ  硬貨副保持溝
ｒ１  第一仮想円
ｒ２  第二仮想円
【図１】
0004573765.tif 000002
【図２】
0004573765.tif 000003
【図３】
0004573765.tif 000004
【図４】
0004573765.tif 000005
【図５】
0004573765.tif 000006
【図６】
0004573765.tif 000007
【図７】
0004573765.tif 000008
【図８】
0004573765.tif 000009
【図９】
0004573765.tif 000010
【図１０】
0004573765.tif 000011
【図１１】
0004573765.tif 000012